(57)【要約】      （修正有）【課題】ソフトフォンでの使用に好適であり、かつデザインの自由度が高いハンドセットを提供する。【解決手段】ハンドセット１Ａは、送話信号を入力するためのマイク１０と、受話信号を出力するためのスピーカ１１と、マイク１０に入力された送話信号をソフトフォン２に出力する送話信号出力部１３と、ソフトフォン２から受話信号を入力するための受話信号入力部１４と、側音回路１６と、減衰フィルタ１７と、を備える。側音回路１６は、マイク１０に入力された送話信号を、受話信号入力部１４に入力された受話信号に混成し、その混成信号をスピーカ１１から出力する。減衰フィルタ１７は、側音回路１６に入力する送話信号から、ハウリングを引き起こす可能性の高い周波数帯域であるハウリング周波数帯域の信号成分を減衰する。【選択図】図１
2019176230.tif 000002
【特許請求の範囲】
【請求項１】
電話機のハンドセットであって、
送話信号を入力するためのマイクと、
受話信号を出力するためのスピーカと、
前記マイクに入力された送話信号を、前記スピーカから出力する受話信号に混成する側音手段と、
ハウリングを防止するハウリング防止手段と、を備えている
ことを特徴とするハンドセット。
【請求項２】
請求項１に記載のハンドセットであって、
前記ハウリング防止手段は、
前記側音手段に入力する送話信号から所定のハウリング周波数帯域の信号成分を減衰する減衰フィルタである
ことを特徴とするハンドセット。
【請求項３】
請求項１に記載のハンドセットであって、
前記ハウリング防止手段は、
前記マイクに入力された送話信号の音量レベルが所定のハウリング発生レベル未満である場合に、前記側音手段から出力される混成信号を選択し、前記所定のハウリング発生レベル以上である場合に、前記側音手段に入力する受話信号を選択して、前記スピーカに出力するセレクタである
ことを特徴とするハンドセット。
【発明の詳細な説明】
【技術分野】
【０００１】
本発明は、電話機のハンドセットに関し、特にソフトフォンでの使用に好適なハンドセットに関する。
【背景技術】
【０００２】
従来、ハンドセットを備えた電話機のなかには、通話中に、ハンドセットのマイク（送話器）に入力された発話者の音声をハンドセットのスピーカ（受話器）から出力して発話者が自身で確認できるようにするため、マイクに入力された送話信号をスピーカから出力する受話信号に混成する側音回路を電話機本体に内蔵させたものがある。例えば、特許文献１に記載の遠隔電話ステーションにおいては、内蔵する電話混成回路が側音回路として機能し、マイクに入力された送話信号をスピーカから出力する受話信号に混成している。
【先行技術文献】
【特許文献】
【０００３】
【特許文献１】特開昭６３−２１４０５５号公報
【発明の概要】
【発明が解決しようとする課題】
【０００４】
近年、スマートフォン、タブレット、パソコン等の情報処理装置を用いてソフトウエアによりインターネット経由の電話を可能とするソフトフォンが普及している。このようなソフトフォンにおいても、デスク等で使用する場合にハンドセットを使用できると利便性が向上する。しかしながら、ソフトフォンはハンドセットの使用を前提としていないものが多く、このため、側音回路を内蔵していないものが殆どである。また、一般に、ハンドセットは、マイクとスピーカとが近すぎるとハウリングを引き起こすため、電話に支障をきたさない範囲内でマイクとスピーカとを十分に離すように設計しなければならず、このことが、スマートフォン、タブレット、パソコン等のデザインに合わせてハンドセットをデザインする上での制約となっている。
【０００５】
本発明は上記事情に鑑みてなされたものであり、本発明の目的は、ソフトフォンでの使用に好適であり、かつデザインの自由度が高いハンドセットを提供することにある。
【課題を解決するための手段】
【０００６】
上記課題を解決するために、本発明では、マイクに入力された送話信号を、スピーカから出力する受話信号に混成する側音手段およびハウリングを防止するハウリング防止手段をハンドセットに内蔵している。
【０００７】
ここで、ハウリング防止手段は、側音手段に入力する送話信号から所定のハウリング周波数帯域の信号成分を減衰する減衰フィルタであってもよい。あるいは、マイクに入力された送話信号の音量レベルが所定のハウリング発生レベル未満である場合に、側音手段から出力される混成信号を選択し、所定のハウリング発生レベル以上である場合に、側音手段に入力する受話信号を選択して、スピーカに出力するセレクタであってもよい。
【０００８】
例えば、本発明は、
電話機のハンドセットであって、
送話信号を入力するためのマイクと、
受話信号を出力するためのスピーカと、
前記マイクに入力された送話信号を、前記スピーカから出力する受話信号に混成する側音手段と、
ハウリングを防止するハウリング防止手段と、を備えている。
【発明の効果】
【０００９】
本発明では、ハンドセットに側音手段を内蔵しているので、側音手段を内蔵していないソフトフォン等の電話機でも、通話中に、マイクに入力された発話者の音声をスピーカから出力して発話者が自身で確認できるようにすることができる。また、ハンドセットにハウリング防止手段を設けているので、ハウリングを気にせずにマイクとスピーカとを近づけて設計することが可能であり、スマートフォン、タブレット、パソコン等のデザインに合わせてハンドセットをデザインすることができる。したがって、本発明によれば、ソフトフォンでの使用に好適であり、かつデザインの自由度が高いハンドセットを提供することができる。
【図面の簡単な説明】
【００１０】
【図１】図１は、本発明の第一実施の形態に係るハンドセット１Ａの概略機能構成図である。
【図２】図２は、本発明の第二実施の形態に係るハンドセット１Ｂの概略機能構成図である。
【発明を実施するための形態】
【００１１】
以下に、本発明の実施の形態について図面を参照して説明する。
【００１２】
［第一実施の形態］
図１は、本発明の第一実施の形態に係るハンドセット１Ａの概略機能構成図である。
【００１３】
本実施の形態に係るハンドセット１Ａは、ソフトウエアによりインターネット経由の電話を可能とするソフトフォン（情報処理装置）２に接続されて使用されるものであり、図示するように、送話信号を入力するためのマイク（送話器）１０と、受話信号を出力するためのスピーカ（受話器）１１と、マイク１０に入力された送話信号を増幅する送話信号増幅部１２と、送話信号増幅部１２により増幅された送話信号をソフトフォン２に出力する送話信号出力部１３と、ソフトフォン２から受話信号を入力するための受話信号入力部１４と、受話信号入力部１４に入力された受話信号を増幅する受話信号増幅部１５と、側音回路１６と、減衰フィルタ１７と、を備えている。
【００１４】
側音回路１６は、マイク１０に入力された送話信号を、受話信号増幅部１５により増幅された受話信号に混成し、その混成信号をスピーカ１１から出力する。
【００１５】
減衰フィルタ１７は、側音回路１６に入力する送話信号から、ハウリングを引き起こす可能性の高い周波数帯域であるハウリング周波数帯域の信号成分を減衰する。ここで、ハウリングは、１ｋＨｚ〜２ｋＨｚの周波数帯域の信号が正帰還することにより引き起こされることが経験的に知られている。そこで、本実施の形態では、ハウリング周波数帯域を１ｋＨｚ〜２ｋＨｚに設定している。通話音声の母音周波数帯域は、約１００Ｈｚ〜３００Ｈｚなので、ハウリング周波数帯域の信号成分を減衰しても、マイク１０に入力された送話信号に含まれている発話者の音声に与える影響は少ないと考えられる。
【００１６】
本実施の形態では、ハンドセット１Ａに側音回路１６を内蔵しているので、側音回路を内蔵していないソフトフォン２等の電話機でも、通話中に、マイク１０に入力された発話者の音声をスピーカ１１から出力して自身で確認できるようにすることができる。また、側音回路１６に入力する送話信号から、ハウリングを引き起こす可能性の高い周波数帯域であるハウリング周波数帯域の信号成分を減衰する減衰フィルタ１７を設けているので、ハウリングを気にせずにマイク１０とスピーカ１１とを近づけてハンドセット１Ａを設計することが可能であり、スマートフォン、タブレット、パソコン等のデザインに合わせてハンドセット１Ａをデザインすることができる。したがって、本実施の形態によれば、ソフトフォン２での使用に好適であり、かつデザインの自由度が高いハンドセット１Ａを提供することができる。
【００１７】
［第二実施の形態］
図２は、本発明の第二実施の形態に係るハンドセット１Ｂの概略機能構成図である。
【００１８】
図示するように、本実施の形態に係るハンドセット１Ｂが、図１に示す第一実施の形態に係るハンドセット１Ａと異なる点は、減衰フィルタ１７に代えてセレクタ１８を設けたことである。その他の構成は、図１に示す第一実施の形態に係るハンドセット１Ａと同様である。
【００１９】
セレクタ１８は、マイク１０に入力された送話信号の音量レベルが、ハウリングを引き起こす可能性の高い音量レベルとして予め設定されたハウリング発生レベル未満である場合に、側音回路１６から出力される混成信号を選択してスピーカ１１に出力する。一方、マイク１０に入力された送話信号の音量レベルがハウリング発生レベル以上である場合に、受話信号増幅部１５により増幅された受話信号を選択してスピーカ１１に出力する。ここで、セレクタ１８は、マイク１０に入力された送話信号の音量レベルがハウリング発生レベル以上である場合に、受話信号増幅部１５により増幅された受話信号を選択してスピーカ１１に出力するので、マイク１０に入力された発話者の音声をスピーカ１１から出力して発話者が自身で確認できるようにすることができない。しかし、側音回路１６経由での正帰還が遮断されることによりハウリングが防止され、マイク１０に入力された送話信号の音量レベルが直ちにハウリング発生レベル未満まで下り、側音回路１６から出力される混成信号が選択されるので、発話者が自身の音声を確認するのにほとんど支障はないものと考えられる。
【００２０】
本実施の形態においても、第一実施の形態と同様、ハンドセット１Ｂに側音回路１６を内蔵しているので、側音回路を内蔵していないソフトフォン２等の電話機でも、通話中に、マイク１０に入力された発話者の音声をスピーカ１１から出力して発話者が自身で確認できるようにすることができる。また、マイク１０に入力された送話信号の音量レベルが、ハウリングを引き起こす可能性の高い音量レベルとして予め設定されたハウリング発生レベル未満である場合に、側音回路１６から出力される混成信号を選択してスピーカ１１に出力し、ハウリング発生レベル以上である場合に、受話信号増幅部１５により増幅された受話信号を選択してスピーカ１１に出力するセレクタ１８をハンドセット１Ｂに設けているので、ハウリングを気にせずにマイク１０とスピーカ１１とを近づけてハンドセット１Ｂを設計することが可能であり、スマートフォン、タブレット、パソコン等のデザインに合わせてハンドセット１Ｂをデザインすることができる。したがって、本実施の形態によれば、ソフトフォン２での使用に好適であり、かつデザインの自由度が高いハンドセット１Ｂを提供することができる。
【００２１】
以上、本発明の実施の形態について説明した。
【００２２】
なお、本発明は上記の実施の形態に限定されるものではなく、その要旨の範囲内で数々の変形が可能である。
【００２３】
例えば、ハンドセットに内蔵するハウリング防止手段は、第一の実施の形態に係るハンドセット１Ａの減衰フィルタ１７および第二の実施の形態に係るハンドセット１Ｂのセレクタ１８に限定されない。スピーカ１１から出力される受話信号の信号成分を、マイク１０に入力された送話信号から除去して、送話信号増幅部１２および側音回路１６に出力するエコーキャンセラ回路等、その他のハウリング防止手段をハンドセットに内蔵してもよい。
【符号の説明】
【００２４】
１Ａ、１Ｂ：ハンドセット    ２：ソフトフォン    １０：マイク    １１：スピーカ    １２：送話信号増幅部    １３：送話信号出力部    １４：受話信号入力部    １５：受話信号増幅部    １６：側音回路    １７：減衰フィルタ    １８：セレクタ
【図１】
2019176230.tif 000003
【図２】
2019176230.tif 000004
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
電話機のハンドセットであって、
送話信号を入力するためのマイクと、
受話信号を出力するためのスピーカと、
前記マイクに入力された送話信号を、前記スピーカから出力する受話信号に混成する側音手段と、
ハウリングを防止するハウリング防止手段と、を備え、
前記ハウリング防止手段は、
前記マイクに入力された送話信号の音量レベルが所定のハウリング発生レベル未満である場合に、前記側音手段から出力される混成信号を選択し、前記所定のハウリング発生レベル以上である場合に、前記側音手段に入力する受話信号を選択して、前記スピーカに出力するセレクタである
ことを特徴とするハンドセット。
【手続補正２】
【補正対象書類名】明細書
【補正対象項目名】０００７
【補正方法】変更
【補正の内容】
【０００７】
ここで、ハウリング防止手段には、マイクに入力された送話信号の音量レベルが所定のハウリング発生レベル未満である場合に、側音手段から出力される混成信号を選択し、所定のハウリング発生レベル以上である場合に、側音手段に入力する受話信号を選択して、スピーカに出力するセレクタが用いられる。
【手続補正３】
【補正対象書類名】明細書
【補正対象項目名】０００８
【補正方法】変更
【補正の内容】
【０００８】
例えば、本発明は、
電話機のハンドセットであって、
送話信号を入力するためのマイクと、
受話信号を出力するためのスピーカと、
前記マイクに入力された送話信号を、前記スピーカから出力する受話信号に混成する側音手段と、
ハウリングを防止するハウリング防止手段と、を備え、
前記ハウリング防止手段は、
前記マイクに入力された送話信号の音量レベルが所定のハウリング発生レベル未満である場合に、前記側音手段から出力される混成信号を選択し、前記所定のハウリング発生レベル以上である場合に、前記側音手段に入力する受話信号を選択して、前記スピーカに出力するセレクタである。